【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
曲を構成する各音を表す曲データを記憶する曲データ記憶手段と、
前記曲データ記憶手段に記憶される曲データから連桁する音列を検出する連桁検出手段と、
前記連桁検出手段が検出した連桁する音列において隣り合う音同士の音高差の正負に応じて増減される傾き補正値を発生する補正値発生手段と、
前記連桁検出手段が検出した連桁する音列の先頭音と後端音との音高差に応じた傾きを、前記補正値発生手段により生成される傾き補正値にて補正して連桁傾きを決定する連桁傾き決定手段と
を具備することを特徴とする楽譜表示装置。
【請求項２】
曲を構成する各音を表す曲データを記憶する曲データ記憶手段と、
前記曲データ記憶手段に記憶される曲データから連桁する和音列を検出する連桁検出手段と、
前記連桁検出手段が検出した連桁する和音列において隣り合う音同士の音高差の正負に応じて増減される傾き補正値を発生する補正値発生手段と、
前記連桁検出手段が検出した連桁する和音列の内、先頭の和音の最低音と後端の和音の最低音との音高差に応じた第１の傾きと、先頭の和音の最高音と後端の和音の最高音との音高差に応じた第２の傾きを算出する傾き算出手段と、
前記傾き算出手段により算出される第１および第２の傾きを平均し、平均した傾きを前記補正値発生手段により生成される傾き補正値にて補正して連桁傾きを決定する連桁傾き決定手段と
を具備することを特徴とする楽譜表示装置。
【請求項３】
前記補正値発生手段は、ユーザ設定される重み係数に応じて傾き補正値を調節する調節手段を具備することを特徴とする請求項１又は請求項２のいずれかに記載の楽譜表示装置。
【請求項４】
曲を構成する各音を表す曲データから連桁する音列を検出する連桁検出処理と、
前記連桁検出処理が検出した連桁する音列において隣り合う音同士の音高差の正負に応じて増減される傾き補正値を発生する補正値発生処理と、
前記連桁検出処理が検出した連桁する音列の先頭音と後端音との音高差に応じた傾きを、前記補正値発生処理にて生成される傾き補正値にて補正して連桁傾きを決定する連桁傾き決定処理と
をコンピュータで実行させることを特徴とする楽譜表示プログラム。
【請求項５】
曲を構成する各音を表す曲データから連桁する和音列を検出する連桁検出処理と、
前記連桁検出処理が検出した連桁する和音列において隣り合う音同士の音高差の正負に応じて増減される傾き補正値を発生する補正値発生処理と、
前記連桁検出処理が検出した連桁する和音列の内、先頭の和音の最低音と後端の和音の最低音との音高差に応じた第１の傾きと、先頭の和音の最高音と後端の和音の最高音との音高差に応じた第２の傾きを算出する傾き算出処理と、
前記傾き算出処理により算出される第１および第２の傾きを平均し、平均した傾きを前記補正値発生処理にて生成される傾き補正値にて補正して連桁傾きを決定する連桁傾き決定処理と
をコンピュータで実行させることを特徴とする楽譜表示プログラム。
【請求項６】
前記補正値発生処理は、ユーザ設定される重み係数に応じて傾き補正値を調節する調節処理を具備することを特徴とする請求項４又は請求項５のいずれかに記載の楽譜表示プログラム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
請求項２に記載の発明では、曲を構成する各音を表す曲データを記憶する曲データ記憶手段と、前記曲データ記憶手段に記憶される曲データから連桁する和音列を検出する連桁検出手段と、前記連桁検出手段が検出した連桁する和音列において隣り合う音同士の音高差の正負に応じて増減される傾き補正値を発生する補正値発生手段と、前記連桁検出手段が検出した連桁する和音列の内、先頭の和音の最低音と後端の和音の最低音との音高差に応じた第１の傾きと、先頭の和音の最高音と後端の和音の最高音との音高差に応じた第２の傾きを算出する傾き算出手段と、前記傾き算出手段により算出される第１および第２の傾きを平均し、平均した傾きを前記補正値発生手段により生成される傾き補正値にて補正して連桁傾きを決定する連桁傾き決定手段とを具備することを特徴とする。
【手続補正４】
【補正対象書類名】明細書
【補正対象項目名】００１１
【補正方法】変更
【補正の内容】
【００１１】
請求項１又は請求項２のいずれかに従属する請求項３に記載の発明では、前記補正値発生手段は、ユーザ設定される重み係数に応じて傾き補正値を調節する調節手段を具備することを特徴とする。
【手続補正５】
【補正対象書類名】明細書
【補正対象項目名】００１２
【補正方法】変更
【補正の内容】
【００１２】
請求項４に記載の発明では、曲を構成する各音を表す曲データから連桁する音列を検出する連桁検出処理と、前記連桁検出処理が検出した連桁する音列において隣り合う音同士の音高差の正負に応じて増減される傾き補正値を発生する補正値発生処理と、前記連桁検出処理が検出した連桁する音列の先頭音と後端音との音高差に応じた傾きを、前記補正値発生処理にて生成される傾き補正値にて補正して連桁傾きを決定する連桁傾き決定処理とをコンピュータで実行させることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
請求項５に記載の発明では、曲を構成する各音を表す曲データから連桁する和音列を検出する連桁検出処理と、前記連桁検出処理が検出した連桁する和音列において隣り合う音同士の音高差の正負に応じて増減される傾き補正値を発生する補正値発生処理と、前記連桁検出処理が検出した連桁する和音列の内、先頭の和音の最低音と後端の和音の最低音との音高差に応じた第１の傾きと、先頭の和音の最高音と後端の和音の最高音との音高差に応じた第２の傾きを算出する傾き算出処理と、前記傾き算出処理により算出される第１および第２の傾きを平均し、平均した傾きを前記補正値発生処理にて生成される傾き補正値にて補正して連桁傾きを決定する連桁傾き決定処理とをコンピュータで実行させることを特徴とする。
【手続補正８】
【補正対象書類名】明細書
【補正対象項目名】００１５
【補正方法】変更
【補正の内容】
【００１５】
請求項４又は請求項５のいずれかに従属する請求項６に記載の発明では、前記補正値発生処理は、ユーザ設定される重み係数に応じて傾き補正値を調節する調節処理を具備することを特徴とする記載の楽譜表示プログラム。
【手続補正９】
【補正対象書類名】明細書
【補正対象項目名】００１６
【補正方法】変更
【補正の内容】
【００１６】
請求項１、４に記載の発明によれば、曲を構成する各音を表す曲データから連桁する音列を検出し、検出した連桁する音列において隣り合う音同士の音高差の正負に応じて増減される傾き補正値を発生する。そして、検出した連桁する音列の先頭音と後端音との音高差に応じた傾きを、上記傾き補正値にて補正して連桁傾きを決定するので、連桁する音符を見易く表示することができる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
請求項２、５に記載の発明によれば、曲を構成する各音を表す曲データから連桁する和音列を検出し、検出した連桁する和音列において隣り合う音同士の音高差の正負に応じて増減される傾き補正値を発生する。そして、検出した連桁する和音列の内、先頭の和音の最低音と後端の和音の最低音との音高差に応じた第１の傾きと、先頭の和音の最高音と後端の和音の最高音との音高差に応じた第２の傾きを算出すると共に、これら第１および第２の傾きを平均し、平均した傾きを上記傾き補正値にて補正して連桁傾きを決定するので、連桁する音符を見易く表示することができる。
【手続補正１２】
【補正対象書類名】明細書
【補正対象項目名】００１９
【補正方法】変更
【補正の内容】
【００１９】
請求項３、６に記載の発明によれば、ユーザ設定される重み係数に応じて傾き補正値を調節するので、ユーザ好みに応じて連桁の表示形態を調整することができる。